【手続補正書】
【提出日】平成15年9月19日(2003.9.19)
【手続補正１】
【補正対象書類名】明細書
【補正対象項目名】特許請求の範囲
【補正方法】変更
【補正の内容】
【特許請求の範囲】
【請求項１】
被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段および撮像時に被写体を照明するストロボ手段を有する電子カメラであって、
前記撮像光学系、撮像素子、記録媒体、操作手段、撮像処理手段およびストロボ手段を収容し、前記撮像光学系の対物レンズ入射面および前記ストロボ手段の発光部を前面側に露出させて近接配置してなるカメラボディ部と、
前記カメラボディ部の前面側にほぼ円盤状の一部を切欠した形状をなし、前記カメラボディ部に前記円盤状の中心を回転軸として回動可能であり、前記切欠部が前記撮像光学系の対物レンズ入射面および前記ストロボ手段の発光部から退避する角度位置に対応する第１の状態にて、前記撮像光学系の対物レンズ入射面および前記ストロボ手段の発光部を覆い、且つ前記切欠部が前記撮像光学系の対物レンズ入射面および前記ストロボ手段の発光部側に位置する第２の状態にて、前記切欠部から前記撮像光学系の対物レンズ入射面および前記ストロボ手段の発光部を露出させるバリア部材と、
前記バリア部材が前記第１の状態に位置したときに、前記撮像素子、操作手段、撮像処理手段およびストロボ手段に動作電力を供給する電源をオフとし、前記バリア部材が前記第２の状態に位置したときに、該電源をオンとする電源スイッチ手段と
を具備することを特徴とする電子カメラ。
【請求項２】
被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段および撮像時に被写体を照明するストロボ手段を有する電子カメラであって、
前記撮像光学系、撮像素子、記録媒体、操作手段、撮像処理手段およびストロボ手段を収容し、前記撮像光学系の対物レンズ入射面および前記ストロボ手段の発光部を前面側ほぼ中央部に露出させて近接配置してなるカメラボディ部と、
前記カメラボディ部の前面側ほぼ中央部の近傍にほぼ円盤状の一部を切欠した形状をなし、前記カメラボディ部に前記円盤状の中心軸線上で回動可能に支持されて、前記切欠部が前記撮像光学系の対物レンズ入射面および前記ストロボ手段の発光部から退避する角度位置に対応する第１の状態にて、前記撮像光学系の対物レンズ入射面および前記ストロボ手段の発光部を覆い、且つ前記切欠部が前記撮像光学系の対物レンズ入射面および前記ストロボ手段の発光部側に位置する第２の状態にて、前記切欠部から前記撮像光学系の対物レンズ入射面および前記ストロボ手段の発光部を露出させるバリア部材と、
前記バリア部材が前記第１の状態に位置したときに、前記撮像素子、操作手段、撮像処理手段およびストロボ手段に動作電力を供給する電源をオフとし、前記バリア部材が前記第２の状態に位置したときに、該電源をオンとする電源スイッチ手段と
を具備することを特徴とする電子カメラ。
【請求項３】
被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段、被写体距離を測距する測距手段および撮像時に被写体を照明するストロボ手段を有する電子カメラであって、
前記撮像光学系、撮像素子、記録媒体、操作手段、撮像処理手段、測距手段およびストロボ手段を収容し、前記撮像光学系の対物レンズ入射面、前記測距手段の測距窓部および前記ストロボ手段の発光部を前面側ほぼ中央部に露出させて近接配置してなるカメラボディ部と、
前記カメラボディ部の前面側ほぼ中央部の近傍にほぼ円盤状の一部を切欠した形状をなし、前記カメラボディ部に前記円盤状の中心軸線上で回動可能に支持されて、前記切欠部が前記撮像光学系の対物レンズ入射面、前記測距手段の測距窓部および前記ストロボ手段の発光部から退避する角度位置に対応する第１の状態にて、前記撮像光学系の対物レンズ入射面および前記ストロボ手段の発光部を覆い、且つ前記切欠部が前記撮像光学系の対物レンズ入射面、前記測距手段の測距窓部および前記ストロボ手段の発光部側に位置する第２の状態にて、前記切欠部から前記撮像光学系の対物レンズ入射面および前記ストロボ手段の発光部を露出させるバリア部材と、
前記バリア部材が前記第１の状態に位置したときに、前記撮像素子、操作手段、撮像処理手段、測距手段およびストロボ手段に動作電力を供給する電源をオフとし、前記バリア部材が前記第２の状態に位置したときに、該電源をオンとする電源スイッチ手段と
を具備することを特徴とする電子カメラ。
【請求項４】
前記バリア部材は、円盤状の中心位置近傍まで切欠して前記切欠部を形成し、ほぼ半円状に形成したことを特徴とする請求項１〜３のうちのいずれか１項に記載の電子カメラ。
【請求項５】
前記バリア部材は、回動操作を容易にするために表面に設けられる滑り止め部を含むことを特徴とする請求項１〜４のうちのいずれか１項に記載の電子カメラ。
【請求項６】
前記カメラボディ部およびバリア部材の少なくとも一方に設けられ、前記第１の状態および第２の状態に対応する前記バリア部材の回動位置において、前記バリア部材を係止するクリックストップ機構をさらに含むことを特徴とする請求項１〜５のうちのいずれか１項に記載の電子カメラ。
【請求項７】
被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段、前記撮像素子により撮像された画像情報および前記記録媒体に記録された画像情報を、ボディカバー部の背面側に設けた表示画面に再生表示する再生表示手段、および撮像時に被写体を照明するストロボ手段を有する電子カメラであって、
前記撮像光学系、撮像素子、記録媒体、操作手段、撮像処理手段、再生表示手段およびストロボ手段を収容し、前記撮像光学系の対物レンズ入射面および前記ストロボ手段の発光部を前面側ほぼ中央部に露出させて近接配置し、前記表示画面を背面側に露出させて配置してなるカメラボディ部と、
前記カメラボディ部の前面側および背面側ほぼ中央部の近傍にほぼ円盤状の一部を切欠した形状をなし、前記カメラボディ部に前記円盤状の中心軸線上で回動可能に支持されて、前記切欠部の前面側および背面側が前記撮像光学系の対物レンズ入射面、前記ストロボ手段の発光部および前記表示画面から退避する角度位置に対応する第１の状態にて、前記撮像光学系の対物レンズ入射面、前記ストロボ手段の発光部および前記表示画面を覆い、且つ前記切欠部の前面側および背面側が前記撮像光学系の対物レンズ入射面、前記ストロボ手段の発光部側および前記表示画面側に位置する第２の状態にて、前記切欠部から前記撮像光学系の対物レンズ入射面、前記ストロボ手段の発光部および前記表示画面を露出させるバリア部材と、
前記バリア部材が前記第１の状態に位置したときに、前記撮像素子、操作手段、撮像処理手段、ストロボ手段および再生表示手段に動作電力を供給する電源をオフとし、前記バリア部材が前記第２の状態に位置したときに、該電源をオンとする電源スイッチ手段と
を具備することを特徴とする電子カメラ。
【請求項８】
被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段、被写体距離を測距する測距手段、前記撮像素子により撮像された画像情報および前記記録媒体に記録された画像情報を、ボディカバー部の背面側に設けた表示画面に再生表示する再生表示手段、および撮像時に被写体を照明するストロボ手段を有する電子カメラであって、
前記撮像光学系、撮像素子、記録媒体、操作手段、撮像処理手段、再生表示手段、測距手段およびストロボ手段を収容し、前記撮像光学系の対物レンズ入射面、前記測距手段の測距窓部および前記ストロボ手段の発光部を前面側ほぼ中央部に露出させて近接配置し、前記表示画面を背面側に露出させて配置してなるカメラボディ部と、
前記カメラボディ部の前面側および背面側ほぼ中央部の近傍にほぼ円盤状の一部を切欠した形状をなし、前記カメラボディ部に前記円盤状の中心軸線上で回動可能に支持されて、前記切欠部の前面側および背面側が前記撮像光学系の対物レンズ入射面、前記測距手段の測距窓部、前記ストロボ手段の発光部および前記表示画面から退避する角度位置に対応する第１の状態にて、前記撮像光学系の対物レンズ入射面、前記ストロボ手段の発光部および前記表示画面を覆い、且つ前記切欠部の前面側および背面側が前記撮像光学系の対物レンズ入射面、前記測距手段の測距窓部、前記ストロボ手段の発光部側および前記表示画面側に位置する第２の状態にて、前記切欠部から前記撮像光学系の対物レンズ入射面、前記ストロボ手段および表示画面の発光部を露出させるバリア部材と、
前記バリア部材が前記第１の状態に位置したときに、前記撮像素子、操作手段、撮像処理手段、測距手段、ストロボ手段および再生表示手段に動作電力を供給する電源をオフとし、前記バリア部材が前記第２の状態に位置したときに、該電源をオンとする電源スイッチ手段と
を具備することを特徴とする電子カメラ。
【請求項９】
前記バリア部材は、正面側および背面側とも円盤状の中心位置近傍まで切欠して前記切欠部を形成し、ほぼ半円状に形成したことを特徴とする請求項７または８に記載の電子カメラ。
【請求項１０】
前記バリア部材は、回動操作を容易にするために表面に設けられる滑り止め部を含むことを特徴とする請求項７〜９のうちのいずれか１項に記載の電子カメラ。
【請求項１１】
前記カメラボディ部およびバリア部材の少なくとも一方に設けられ、前記第１の状態および第２の状態に対応する前記バリア部材の回動位置において、前記バリア部材を係止するクリックストップ機構をさらに含むことを特徴とする請求項７〜１０のうちのいずれか１項に記載の電子カメラ。
【手続補正２】
【補正対象書類名】明細書
【補正対象項目名】０００６
【補正方法】変更
【補正の内容】
【０００６】
本発明は、上述した事情に鑑みてなされたもので、機能構成およびレイアウトの自由度を充分に活かし、携帯性および操作性に優れ、使い勝手の良好な電子カメラを提供することを目的としている。
本発明の請求項１および２の目的は、特に、携帯時には、撮像光学系の入射面およびストロボ発光面が露出すること、並びに誤って電源が入ってしまうことがなく、携帯性を向上して、しかも操作性を損なうことがない電子カメラを提供することにある。


【手続補正３】
【補正対象書類名】明細書
【補正対象項目名】０００７
【補正方法】変更
【補正の内容】
【０００７】
本発明の請求項３の目的は、特に、携帯時には、撮像光学系の入射面、ストロボ発光面および測距用の測距窓が露出すること、並びに誤って電源が入ってしまうことがなく、しかも可動部が操作の邪魔にならず、操作性を損なうことなく携帯性を向上し得る電子カメラを提供することにある。
本発明の請求項４の目的は、特に、簡単で且つ製造が容易な構成の電子カメラを提供することにある。
本発明の請求項５の目的は、特に、バリア部材の操作性が良好な電子カメラを提供することにある。
本発明の請求項６の目的は、特に、バリア部材の操作性が良好で、確実な操作を可能とする電子カメラを提供することにある。


【手続補正４】
【補正対象書類名】明細書
【補正対象項目名】０００８
【補正方法】変更
【補正の内容】
【０００８】
本発明の請求項７の目的は、特に、携帯時には、撮像光学系の入射面、ストロボ発光面および表示画面が露出すること、並びに誤って電源が入ってしまうことがなく、携帯性を向上して、しかも操作性を損なうことがない電子カメラを提供することにある。


【手続補正５】
【補正対象書類名】明細書
【補正対象項目名】０００９
【補正方法】変更
【補正の内容】
【０００９】
本発明の請求項８の目的は、特に、携帯時には、撮像光学系の入射面、ストロボ発光面、測距用の測距窓および表示画面が露出すること、並びに誤って電源が入ってしまうことがなく、しかも可動部が操作の邪魔にならず、操作性を損なうことなく携帯性を向上し得る電子カメラを提供することにある。
本発明の請求項９の目的は、特に、簡単で且つ製造が容易な構成の電子カメラを提供することにある。
本発明の請求項１０の目的は、特に、バリア部材の操作性が良好な電子カメラを提供することにある。
本発明の請求項１１の目的は、特に、バリア部材の操作性が良好で、確実な操作を可能とする電子カメラを提供することにある。


【手続補正６】
【補正対象書類名】明細書
【補正対象項目名】００１０
【補正方法】変更
【補正の内容】
【００１０】
【課題を解決するための手段】
請求項１に記載した本発明に係る電子カメラは、上述した目的を達成するために、
被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段および撮像時に被写体を照明するストロボ手段を有する電子カメラであって、
前記撮像光学系、撮像素子、記録媒体、操作手段、撮像処理手段およびストロボ手段を収容し、前記撮像光学系の対物レンズ入射面および前記ストロボ手段の発光部を前面側に露出させて近接配置してなるカメラボディ部と、
前記カメラボディ部の前面側にほぼ円盤状の一部を切欠した形状をなし、前記カメラボディ部に前記円盤状の中心を回転軸として回動可能であり、前記切欠部が前記撮像光学系の対物レンズ入射面および前記ストロボ手段の発光部から退避する角度位置に対応する第１の状態にて、前記撮像光学系の対物レンズ入射面および前記ストロボ手段の発光部を覆い、且つ前記切欠部が前記撮像光学系の対物レンズ入射面および前記ストロボ手段の発光部側に位置する第２の状態にて、前記切欠部から前記撮像光学系の対物レンズ入射面および前記ストロボ手段の発光部を露出させるバリア部材と、
前記バリア部材が前記第１の状態に位置したときに、前記撮像素子、操作手段、撮像処理手段およびストロボ手段に動作電力を供給する電源をオフとし、前記バリア部材が前記第２の状態に位置したときに、該電源をオンとする電源スイッチ手段と
を具備することを特徴としている。
請求項２に記載した本発明に係る電子カメラは、上述した目的を達成するために、
被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段および撮像時に被写体を照明するストロボ手段を有する電子カメラであって、
前記撮像光学系、撮像素子、記録媒体、操作手段、撮像処理手段およびストロボ手段を収容し、前記撮像光学系の対物レンズ入射面および前記ストロボ手段の発光部を前面側ほぼ中央部に露出させて近接配置してなるカメラボディ部と、
前記カメラボディ部の前面側ほぼ中央部の近傍にほぼ円盤状の一部を切欠した形状をなし、前記カメラボディ部に前記円盤状の中心軸線上で回動可能に支持されて、前記切欠部が前記撮像光学系の対物レンズ入射面および前記ストロボ手段の発光部から退避する角度位置に対応する第１の状態にて、前記撮像光学系の対物レンズ入射面および前記ストロボ手段の発光部を覆い、且つ前記切欠部が前記撮像光学系の対物レンズ入射面および前記ストロボ手段の発光部側に位置する第２の状態にて、前記切欠部から前記撮像光学系の対物レンズ入射面および前記ストロボ手段の発光部を露出させるバリア部材と、
前記バリア部材が前記第１の状態に位置したときに、前記撮像素子、操作手段、撮像処理手段およびストロボ手段に動作電力を供給する電源をオフとし、前記バリア部材が前記第２の状態に位置したときに、該電源をオンとする電源スイッチ手段と
を具備することを特徴としている。


【手続補正７】
【補正対象書類名】明細書
【補正対象項目名】００１１
【補正方法】変更
【補正の内容】
【００１１】
請求項３に記載した本発明に係る電子カメラは、
被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段、被写体距離を測距する測距手段および撮像時に被写体を照明するストロボ手段を有する電子カメラであって、
前記撮像光学系、撮像素子、記録媒体、操作手段、撮像処理手段、測距手段およびストロボ手段を収容し、前記撮像光学系の対物レンズ入射面、前記測距手段の測距窓部および前記ストロボ手段の発光部を前面側ほぼ中央部に露出させて近接配置してなるカメラボディ部と、
前記カメラボディ部の前面側ほぼ中央部の近傍にほぼ円盤状の一部を切欠した形状をなし、前記カメラボディ部に前記円盤状の中心軸線上で回動可能に支持されて、前記切欠部が前記撮像光学系の対物レンズ入射面、前記測距手段の測距窓部および前記ストロボ手段の発光部から退避する角度位置に対応する第１の状態にて、前記撮像光学系の対物レンズ入射面および前記ストロボ手段の発光部を覆い、且つ前記切欠部が前記撮像光学系の対物レンズ入射面、前記測距手段の測距窓部および前記ストロボ手段の発光部側に位置する第２の状態にて、前記切欠部から前記撮像光学系の対物レンズ入射面および前記ストロボ手段の発光部を露出させるバリア部材と、
前記バリア部材が前記第１の状態に位置したときに、前記撮像素子、操作手段、撮像処理手段、測距手段およびストロボ手段に動作電力を供給する電源をオフとし、前記バリア部材が前記第２の状態に位置したときに、該電源をオンとする電源スイッチ手段と
を具備することを特徴としている。


【手続補正８】
【補正対象書類名】明細書
【補正対象項目名】００１２
【補正方法】変更
【補正の内容】
【００１２】
請求項４に記載した本発明に係る電子カメラは、前記バリア部材が、円盤状の中心位置近傍まで切欠して前記切欠部を形成し、ほぼ半円状に形成してもよい。
請求項５に記載した本発明に係る電子カメラは、前記バリア部材が、回動操作を容易にするために表面に設けられる滑り止め部を含んでいてもよい。
請求項６に記載した本発明に係る電子カメラは、前記カメラボディ部およびバリア部材の少なくとも一方に設けられ、前記第１の状態および第２の状態に対応する前記バリア部材の回動位置において、前記バリア部材を係止するクリックストップ機構をさらに含んでいてもよい。


【手続補正９】
【補正対象書類名】明細書
【補正対象項目名】００１３
【補正方法】変更
【補正の内容】
【００１３】
請求項７に記載した本発明に係る電子カメラは、上述した目的を達成するために、被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段、前記撮像素子により撮像された画像情報および前記記録媒体に記録された画像情報を、ボディカバー部の背面側に設けた表示画面に再生表示する再生表示手段、および撮像時に被写体を照明するストロボ手段を有する電子カメラであって、
前記撮像光学系、撮像素子、記録媒体、操作手段、撮像処理手段、再生表示手段およびストロボ手段を収容し、前記撮像光学系の対物レンズ入射面および前記ストロボ手段の発光部を前面側ほぼ中央部に露出させて近接配置し、前記表示画面を背面側に露出させて配置してなるカメラボディ部と、
前記カメラボディ部の前面側および背面側ほぼ中央部の近傍にほぼ円盤状の一部を切欠した形状をなし、前記カメラボディ部に前記円盤状の中心軸線上で回動可能に支持されて、前記切欠部の前面側および背面側が前記撮像光学系の対物レンズ入射面、前記ストロボ手段の発光部および前記表示画面から退避する角度位置に対応する第１の状態にて、前記撮像光学系の対物レンズ入射面、前記ストロボ手段の発光部および前記表示画面を覆い、且つ前記切欠部の前面側および背面側が前記撮像光学系の対物レンズ入射面、前記ストロボ手段の発光部側および前記表示画面側に位置する第２の状態にて、前記切欠部から前記撮像光学系の対物レンズ入射面、前記ストロボ手段の発光部および前記表示画面を露出させるバリア部材と、
前記バリア部材が前記第１の状態に位置したときに、前記撮像素子、操作手段、撮像処理手段、ストロボ手段および再生表示手段に動作電力を供給する電源をオフとし、前記バリア部材が前記第２の状態に位置したときに、該電源をオンとする電源スイッチ手段と
を具備することを特徴としている。


【手続補正１０】
【補正対象書類名】明細書
【補正対象項目名】００１４
【補正方法】変更
【補正の内容】
【００１４】
請求項８に記載した本発明に係る電子カメラは、被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段、被写体距離を測距する測距手段、前記撮像素子により撮像された画像情報および前記記録媒体に記録された画像情報を、ボディカバー部の背面側に設けた表示画面に再生表示する再生表示手段、および撮像時に被写体を照明するストロボ手段を有する電子カメラであって、
前記撮像光学系、撮像素子、記録媒体、操作手段、撮像処理手段、再生表示手段、測距手段およびストロボ手段を収容し、前記撮像光学系の対物レンズ入射面、前記測距手段の測距窓部および前記ストロボ手段の発光部を前面側ほぼ中央部に露出させて近接配置し、前記表示画面を背面側に露出させて配置してなるカメラボディ部と、
前記カメラボディ部の前面側および背面側ほぼ中央部の近傍にほぼ円盤状の一部を切欠した形状をなし、前記カメラボディ部に前記円盤状の中心軸線上で回動可能に支持されて、前記切欠部の前面側および背面側が前記撮像光学系の対物レンズ入射面、前記測距手段の測距窓部、前記ストロボ手段の発光部および前記表示画面から退避する角度位置に対応する第１の状態にて、前記撮像光学系の対物レンズ入射面、前記ストロボ手段の発光部および前記表示画面を覆い、且つ前記切欠部の前面側および背面側が前記撮像光学系の対物レンズ入射面、前記測距手段の測距窓部、前記ストロボ手段の発光部側および前記表示画面側に位置する第２の状態にて、前記切欠部から前記撮像光学系の対物レンズ入射面、前記ストロボ手段および表示画面の発光部を露出させるバリア部材と、
前記バリア部材が前記第１の状態に位置したときに、前記撮像素子、操作手段、撮像処理手段、測距手段、ストロボ手段および再生表示手段に動作電力を供給する電源をオフとし、前記バリア部材が前記第２の状態に位置したときに、該電源をオンとする電源スイッチ手段と
を具備することを特徴としている。


【手続補正１１】
【補正対象書類名】明細書
【補正対象項目名】００１５
【補正方法】変更
【補正の内容】
【００１５】
請求項９に記載した本発明に係る電子カメラは、前記バリア部材の正面側および背面側ともが、円盤状の中心位置近傍まで切欠して前記切欠部を形成し、ほぼ半円状に形成してもよい。
請求項１０に記載した本発明に係る電子カメラは、前記バリア部材が、回動操作を容易にするために表面に設けられる滑り止め部を含んでいてもよい。
請求項１１に記載した本発明に係る電子カメラは、前記カメラボディ部およびバリア部材の少なくとも一方に設けられ、前記第１の状態および第２の状態に対応する前記バリア部材の回動位置において、前記バリア部材を係止するクリックストップ機構をさらに含んでいてもよい。


【手続補正１２】
【補正対象書類名】明細書
【補正対象項目名】００１６
【補正方法】変更
【補正の内容】
【００１６】
【作用】
すなわち、本発明の請求項１による電子カメラは、撮像光学系により結像された被写体光学像を、ユーザによる操作に応じて、撮像素子により電子的な画像情報に変換し、所定の処理を施して記録媒体に画像情報を記録する電子カメラにおいて、前記撮像光学系の対物レンズ入射面およびストロボ発光部を前面側に露出させて近接配置した構成のカメラボディ部の前面側に、ほぼ円盤状の一部を切欠した形状をなすバリア部材を、前記カメラボディ部に前記円盤状の中心を回転軸として回動可能であり、該バリア部材の前記切欠部が前記撮像光学系の対物レンズ入射面および前記ストロボ発光部から退避する角度位置に対応する第１の状態にて、前記撮像光学系の対物レンズ入射面およびストロボ発光部を覆い、且つ前記切欠部が前記撮像光学系の対物レンズ入射面およびストロボ発光部側に位置する第２の状態にて、前記切欠部から前記撮像光学系の対物レンズ入射面およびストロボ発光部を露出させるとともに、当該電子カメラの電源をオン／オフする電源スイッチを該バリア部材に連動させ、前記バリア部材が前記第１の状態に位置したときに、該電源をオフとし、前記バリア部材が前記第２の状態に位置したときに、該電源をオンとする。
このような構成により、機能構成およびレイアウトの自由度を充分に活かし、特に、携帯時には、撮像光学系の入射面およびストロボ発光部が露出すること、並びに誤って電源が入ってしまうことがなく、携帯性を向上して、しかも操作性を損なうことがなく、良好な使い勝手を達成することができる。
本発明の請求項２による電子カメラは、撮像光学系により結像された被写体光学像を、ユーザによる操作に応じて、撮像素子により電子的な画像情報に変換し、所定の処理を施して記録媒体に画像情報を記録する電子カメラにおいて、前記撮像光学系の対物レンズ入射面およびストロボ発光部を前面側ほぼ中央部に露出させて近接配置した構成のカメラボディ部の前面側のほぼ中央部近傍に、ほぼ円盤状の一部を切欠した形状をなすバリア部材を、前記カメラボディ部に前記円盤状の中心軸線上で回動可能に支持させて設け、該バリア部材の前記切欠部が前記撮像光学系の対物レンズ入射面および前記ストロボ発光部から退避する角度位置に対応する第１の状態にて、前記撮像光学系の対物レンズ入射面およびストロボ発光部を覆い、且つ前記切欠部が前記撮像光学系の対物レンズ入射面およびストロボ発光部側に位置する第２の状態にて、前記切欠部から前記撮像光学系の対物レンズ入射面およびストロボ発光部を露出させるとともに、当該電子カメラの電源をオン／オフする電源スイッチを該バリア部材に連動させ、前記バリア部材が前記第１の状態に位置したときに、該電源をオフとし、前記バリア部材が前記第２の状態に位置したときに、該電源をオンとする。
このような構成により、機能構成およびレイアウトの自由度を充分に活かし、特に、携帯時には、撮像光学系の入射面およびストロボ発光部が露出すること、並びに誤って電源が入ってしまうことがなく、携帯性を向上して、しかも操作性を損なうことがなく、良好な使い勝手を達成することができる。


【手続補正１３】
【補正対象書類名】明細書
【補正対象項目名】００１７
【補正方法】変更
【補正の内容】
【００１７】
また、本発明の請求項３による電子カメラは、撮像光学系により結像された被写体光学像を、ユーザによる操作に応じて、撮像素子により電子的な画像情報に変換し、所定の処理を施して記録媒体に画像情報を記録する電子カメラにおいて、前記撮像光学系の対物レンズ入射面、ストロボ発光部および測距窓部を前面側ほぼ中央部に露出させて近接配置した構成のカメラボディ部の前面側のほぼ中央部近傍に、ほぼ円盤状の一部を切欠した形状をなすバリア部材を、前記カメラボディ部に前記円盤状の中心軸線上で回動可能に支持させて設け、該バリア部材の前記切欠部が前記撮像光学系の対物レンズ入射面、ストロボ発光部および測距窓部から退避する角度位置に対応する第１の状態にて、前記撮像光学系の対物レンズ入射面、ストロボ発光部および測距窓部を覆い、且つ前記切欠部が前記撮像光学系の対物レンズ入射面、ストロボ発光部および測距窓部側に位置する第２の状態にて、前記切欠部から前記撮像光学系の対物レンズ入射面、ストロボ発光部および測距窓部を露出させるとともに、当該電子カメラの電源をオン／オフする電源スイッチを該バリア部材に連動させ、前記バリア部材が前記第１の状態に位置したときに、該電源をオフとし、前記バリア部材が前記第２の状態に位置したときに、該電源をオンとする。
このような構成により、特に、携帯時には、撮像光学系の入射面、ストロボ発光面および測距用の測距窓が露出すること、並びに誤って電源が入ってしまうことがなく、しかも可動部が操作の邪魔にならず、操作性を損なうこともない。


【手続補正１４】
【補正対象書類名】明細書
【補正対象項目名】００１８
【補正方法】変更
【補正の内容】
【００１８】
本発明の請求項４による電子カメラは、前記バリア部材が、円盤状の中心位置近傍まで切欠して前記切欠部を形成し、ほぼ半円状に形成している。
このような構成により、特に、バリア部材が構造も簡単で且つ製造が容易となる。
本発明の請求項５による電子カメラは、前記バリア部材が、回動操作を容易にするために表面に設けられる滑り止め部を含む。
このような構成により、特に、バリア部材の操作時に手が滑ることもなく、操作性が良好となる。


【手続補正１５】
【補正対象書類名】明細書
【補正対象項目名】００１９
【補正方法】変更
【補正の内容】
【００１９】
本発明の請求項６による電子カメラは、前記カメラボディ部およびバリア部材の少なくとも一方に、前記第１の状態および第２の状態に対応する前記バリア部材の回動位置において、前記バリア部材を係止するクリックストップ機構を設ける。
このような構成により、特に、動作が確実となり、安定性が向上する。


【手続補正１６】
【補正対象書類名】明細書
【補正対象項目名】００２０
【補正方法】変更
【補正の内容】
【００２０】
本発明の請求項７による電子カメラは、撮像光学系により結像された被写体光学像を、ユーザによる操作に応じて、撮像素子により電子的な画像情報に変換し、所定の処理を施して記録媒体に画像情報を記録する電子カメラにおいて、前記撮像光学系の対物レンズ入射面、ストロボ発光部を前面側ほぼ中央部に露出させて近接配置し、前記表示画面を背面側に露出させて配置した構成のカメラボディ部の前面側および背面側のほぼ中央部近傍に、ほぼ円盤状の一部を切欠した形状をなすバリア部材を、前記カメラボディ部に前記円盤状の中心軸線上で回動可能に支持させて設け、前面側および背面側の該バリア部材の前記切欠部が前記撮像光学系の対物レンズ入射面、前記ストロボ発光部および表示画面から退避する角度位置に対応する第１の状態にて、前記撮像光学系の対物レンズ入射面、ストロボ発光部および表示画面側を覆い、且つ前記切欠部が前記撮像光学系の対物レンズ入射面、ストロボ発光部側および表示画面側に位置する第２の状態にて、前記切欠部から前記撮像光学系の対物レンズ入射面、ストロボ発光部および表示画面を露出させるとともに、当該電子カメラの電源をオン／オフする電源スイッチを該バリア部材に連動させ、前記バリア部材が前記第１の状態に位置したときに、該電源をオフとし、前記バリア部材が前記第２の状態に位置したときに、該電源をオンとする。


【手続補正１７】
【補正対象書類名】明細書
【補正対象項目名】００２２
【補正方法】変更
【補正の内容】
【００２２】
また、本発明の請求項８による電子カメラは、撮像光学系により結像された被写体光学像を、ユーザによる操作に応じて、撮像素子により電子的な画像情報に変換し、所定の処理を施して記録媒体に画像情報を記録する電子カメラにおいて、前記撮像光学系の対物レンズ入射面、ストロボ発光部および測距窓部を前面側ほぼ中央部に露出させて近接配置し前記表示画面を背面側に露出させて配置した構成のカメラボディ部の前面側および背面側のほぼ中央部近傍に、ほぼ円盤状の一部を切欠した形状をなすバリア部材を、前記カメラボディ部に前記円盤状の中心軸線上で回動可能に支持させて設け、該バリア部材の前記切欠部の前面側および背面側が前記撮像光学系の対物レンズ入射面、ストロボ発光部、測距窓部および表示画面から退避する角度位置に対応する第１の状態にて、前記撮像光学系の対物レンズ入射面、ストロボ発光部、測距窓部および表示画面を覆い、且つ前記切欠部の前面側および背面側が前記撮像光学系の対物レンズ入射面、ストロボ発光部、測距窓部側および表示画面側に位置する第２の状態にて、前記切欠部から前記撮像光学系の対物レンズ入射面、ストロボ発光部、測距窓部および表示画面を露出させるとともに、当該電子カメラの電源をオン／オフする電源スイッチを該バリア部材に連動させ、前記バリア部材が前記第１の状態に位置したときに、該電源をオフとし、前記バリア部材が前記第２の状態に位置したときに、該電源をオンとする。


【手続補正１８】
【補正対象書類名】明細書
【補正対象項目名】００２４
【補正方法】変更
【補正の内容】
【００２４】
本発明の請求項９による電子カメラは、前記バリア部材が、正面側および背面側とも円盤状の中心位置近傍まで切欠して前記切欠部を形成し、ほぼ半円状に形成している。
このような構成により、特に、バリア部材が構造も簡単で且つ製造が容易となる。
本発明の請求項１０による電子カメラは、前記バリア部材が、回動操作を容易にするために表面に設けられる滑り止め部を含む。
このような構成により、特に、バリア部材の操作時に手が滑ることもなく、操作性が良好となる。


【手続補正１９】
【補正対象書類名】明細書
【補正対象項目名】００２５
【補正方法】変更
【補正の内容】
【００２５】
本発明の請求項１１による電子カメラは、前記カメラボディ部およびバリア部材の少なくとも一方に、前記第１の状態および第２の状態に対応する前記バリア部材の回動位置において、前記バリア部材を係止するクリックストップ機構を設ける。
このような構成により、特に、動作が確実となり、安定性が向上する。


【手続補正２０】
【補正対象書類名】明細書
【補正対象項目名】００４７
【補正方法】変更
【補正の内容】
【００４７】
【発明の効果】
以上述べたように、請求項１の発明によれば、撮像光学系により結像された被写体光学像を、ユーザによる操作に応じて、撮像素子により電子的な画像情報に変換し、所定の処理を施して記録媒体に画像情報を記録する電子カメラにおいて、前記撮像光学系の対物レンズ入射面およびストロボ発光部を前面側に露出させて近接配置した構成のカメラボディ部の前面側に、ほぼ円盤状の一部を切欠した形状をなすバリア部材を、前記カメラボディ部に前記円盤状の中心を回転軸として回動可能であり、該バリア部材の前記切欠部が前記撮像光学系の対物レンズ入射面および前記ストロボ発光部から退避する角度位置に対応する第１の状態にて、前記撮像光学系の対物レンズ入射面およびストロボ発光部を覆い、且つ前記切欠部が前記撮像光学系の対物レンズ入射面およびストロボ発光部側に位置する第２の状態にて、前記切欠部から前記撮像光学系の対物レンズ入射面およびストロボ発光部を露出させるとともに、当該電子カメラの電源をオン／オフする電源スイッチを該バリア部材に連動させ、前記バリア部材が前記第１の状態に位置したときに、該電源をオフとし、前記バリア部材が前記第２の状態に位置したときに、該電源をオンとする構成により、機能構成およびレイアウトの自由度を充分に活かし、特に、携帯時には、撮像光学系の入射面およびストロボ発光部が露出すること、並びに誤って電源が入ってしまうことがなく、携帯性を向上して、しかも操作性を損なうことがない電子カメラを提供することができる。
また、請求項２の発明によれば、撮像光学系により結像された被写体光学像を、ユーザによる操作に応じて、撮像素子により電子的な画像情報に変換し、所定の処理を施して記録媒体に画像情報を記録する電子カメラにおいて、前記撮像光学系の対物レンズ入射面およびストロボ発光部を前面側ほぼ中央部に露出させて近接配置した構成のカメラボディ部の前面側のほぼ中央部近傍に、ほぼ円盤状の一部を切欠した形状をなすバリア部材を、前記カメラボディ部に前記円盤状の中心軸線上で回動可能に支持させて設け、該バリア部材の前記切欠部が前記撮像光学系の対物レンズ入射面および前記ストロボ発光部から退避する角度位置に対応する第１の状態にて、前記撮像光学系の対物レンズ入射面およびストロボ発光部を覆い、且つ前記切欠部が前記撮像光学系の対物レンズ入射面およびストロボ発光部側に位置する第２の状態にて、前記切欠部から前記撮像光学系の対物レンズ入射面およびストロボ発光部を露出させるとともに、当該電子カメラの電源をオン／オフする電源スイッチを該バリア部材に連動させ、前記バリア部材が前記第１の状態に位置したときに、該電源をオフとし、前記バリア部材が前記第２の状態に位置したときに、該電源をオンとする構成により、機能構成およびレイアウトの自由度を充分に活かし、特に、携帯時には、撮像光学系の入射面およびストロボ発光部が露出すること、並びに誤って電源が入ってしまうことがなく、携帯性を向上して、しかも操作性を損なうことがない電子カメラを提供することができる。


【手続補正２１】
【補正対象書類名】明細書
【補正対象項目名】００４８
【補正方法】変更
【補正の内容】
【００４８】
また、本発明の請求項３の電子カメラによれば、撮像光学系により結像された被写体光学像を、ユーザによる操作に応じて、撮像素子により電子的な画像情報に変換し、所定の処理を施して記録媒体に画像情報を記録する電子カメラにおいて、前記撮像光学系の対物レンズ入射面、ストロボ発光部および測距窓部を前面側ほぼ中央部に露出させて近接配置した構成のカメラボディ部の前面側のほぼ中央部近傍に、ほぼ円盤状の一部を切欠した形状をなすバリア部材を、前記カメラボディ部に前記円盤状の中心軸線上で回動可能に支持させて設け、該バリア部材の前記切欠部が前記撮像光学系の対物レンズ入射面、ストロボ発光部および測距窓部から退避する角度位置に対応する第１の状態にて、前記撮像光学系の対物レンズ入射面、ストロボ発光部および測距窓部を覆い、且つ前記切欠部が前記撮像光学系の対物レンズ入射面、ストロボ発光部および測距窓部側に位置する第２の状態にて、前記切欠部から前記撮像光学系の対物レンズ入射面、ストロボ発光部および測距窓部を露出させるとともに、当該電子カメラの電源をオン／オフする電源スイッチを該バリア部材に連動させ、前記バリア部材が前記第１の状態に位置したときに、該電源をオフとし、前記バリア部材が前記第２の状態に位置したときに、該電源をオンとする構成により、特に、携帯時には、撮像光学系の入射面、ストロボ発光面および測距用の測距窓が露出すること、並びに誤って電源が入ってしまうことがなく、しかも可動部が操作の邪魔にならず、操作性を損なうこともない。


【手続補正２２】
【補正対象書類名】明細書
【補正対象項目名】００４９
【補正方法】変更
【補正の内容】
【００４９】
本発明の請求項４の電子カメラによれば、前記バリア部材が、円盤状の中心位置近傍まで切欠して前記切欠部を形成し、ほぼ半円状に形成しているので、特に、バリア部材が構造も簡単で且つ製造が容易となる。
本発明の請求項５の電子カメラによれば、前記バリア部材が、回動操作を容易にするために表面に設けられる滑り止め部を含むことにより、特に、バリア部材の操作時に手が滑ることもなく、操作性が良好となる。
本発明の請求項６の電子カメラによれば、前記カメラボディ部およびバリア部材の少なくとも一方に、前記第１の状態および第２の状態に対応する前記バリア部材の回動位置において、前記バリア部材を係止するクリックストップ機構を設けることにより、特に、動作が確実となり、安定性が向上する。


【手続補正２３】
【補正対象書類名】明細書
【補正対象項目名】００５０
【補正方法】変更
【補正の内容】
【００５０】
本発明の請求項７の電子カメラによれば、撮像光学系により結像された被写体光学像を、ユーザによる操作に応じて、撮像素子により電子的な画像情報に変換し、所定の処理を施して記録媒体に画像情報を記録する電子カメラにおいて、前記撮像光学系の対物レンズ入射面、ストロボ発光部および表示画面を前面側および背面側ほぼ中央部に露出させて配置した構成のカメラボディ部の前面側および背面側のほぼ中央部近傍に、ほぼ円盤状の一部を切欠した形状をなすバリア部材を、前記カメラボディ部に前記円盤状の中心軸線上で回動可能に支持させて設け、該バリア部材前面側および背面側の前記切欠部が前記撮像光学系の対物レンズ入射面、前記ストロボ発光部および表示画面から退避する角度位置に対応する第１の状態にて、前記撮像光学系の対物レンズ入射面、ストロボ発光部および表示画面を覆い、且つ前面側および背面側前記切欠部が前記撮像光学系の対物レンズ入射面、ストロボ発光部側および表示画面に位置する第２の状態にて、前記各切欠部から前記撮像光学系の対物レンズ入射面、ストロボ発光部および表示画面を露出させるとともに、当該電子カメラの電源をオン／オフする電源スイッチを該バリア部材に連動させ、前記バリア部材が前記第１の状態に位置したときに、該電源をオフとし、前記バリア部材が前記第２の状態に位置したときに、該電源をオンとする構成により、機能構成およびレイアウトの自由度を充分に活かし、特に、携帯時には、撮像光学系の入射面、ストロボ発光部および表示画面が露出すること、並びに誤って電源が入ってしまうことがなく、携帯性を向上して、しかも操作性を損なうことがない電子カメラを提供することができる。


【手続補正２４】
【補正対象書類名】明細書
【補正対象項目名】００５１
【補正方法】変更
【補正の内容】
【００５１】
また、本発明の請求項８の電子カメラによれば、撮像光学系により結像された被写体光学像を、ユーザによる操作に応じて、撮像素子により電子的な画像情報に変換し、所定の処理を施して記録媒体に画像情報を記録する電子カメラにおいて、前記撮像光学系の対物レンズ入射面、ストロボ発光部、測距窓部および表示画面を前面側および背面側のほぼ中央部に露出させて配置した構成のカメラボディ部の前面側および背面側のほぼ中央部近傍に、ほぼ円盤状の一部を切欠した形状をなすバリア部材を、前記カメラボディ部に前記円盤状の中心軸線上で回動可能に支持させて設け、該バリア部材の正面側および背面側の前記切欠部が前記撮像光学系の対物レンズ入射面、ストロボ発光部、測距窓部および表示画面から退避する角度位置に対応する第１の状態にて、前記撮像光学系の対物レンズ入射面、ストロボ発光部、測距窓部および表示画面を覆い、且つ前記切欠部が前記撮像光学系の対物レンズ入射面、ストロボ発光部、測距窓部側および表示画面側に位置する第２の状態にて、前記切欠部から前記撮像光学系の対物レンズ入射面、ストロボ発光部、測距窓部および表示画面を露出させるとともに、当該電子カメラの電源をオン／オフする電源スイッチを該バリア部材に連動させ、前記バリア部材が前記第１の状態に位置したときに、該電源をオフとし、前記バリア部材が前記第２の状態に位置したときに、該電源をオンとする構成により、特に、携帯時には、撮像光学系の入射面、ストロボ発光面、測距用の測距窓および表示画面が露出すること、並びに誤って電源が入ってしまうことがなく、しかも可動部が操作の邪魔にならず、操作性を損なうこともない。


【手続補正２５】
【補正対象書類名】明細書
【補正対象項目名】００５２
【補正方法】変更
【補正の内容】
【００５２】
本発明の請求項９の電子カメラによれば、正面側および背面側の前記バリア部材が、円盤状の中心位置近傍まで切欠して前記切欠部を形成し、ほぼ半円状に形成しているので、特に、バリア部材が構造も簡単で且つ製造が容易となる。
本発明の請求項１０の電子カメラによれば、前記バリア部材が、回動操作を容易にするために表面に設けられる滑り止め部を含むことにより、特に、バリア部材の操作時に手が滑ることもなく、操作性が良好となる。
本発明の請求項１１の電子カメラによれば、前記カメラボディ部およびバリア部材の少なくとも一方に、前記第１の状態および第２の状態に対応する前記バリア部材の回動位置において、前記バリア部材を係止するクリックストップ機構を設けることにより、特に、動作が確実となり、安定性が向上する。